(57)【特許請求の範囲】
【請求項１】
外部から与えられる予報資料データおよび／または実況値データあるいは内部で用意される代用の予測データのうち少なくとも１つのデータを用いて気象情報データを予測・生成することにより気象予報情報を常時作成する気象予報システムと、
生活レジャーに関連する外出先の各種情報を格納する記憶手段と、
ユーザ端末に基づくユーザからのサービス提供のアクセスに応じて、前記ユーザ端末の表示画面に、前記記憶手段に格納される前記各種情報に使用して外出に関連する検索プロセスを実行させる連続的な検索画面を表示させ、前記ユーザによって選定された外出先に係る気象情報を前記気象予報システムから取得して通知するウェブサーバとから成り、
前記連続的な検索画面に含まれる外出サーチ用の画面において天気条件設定欄を設けることにより、前記外出サーチ用の画面に基づく検索条件設定用選択手段に天気条件設定用選択手段を設け、
検索条件に天気条件を含ませ、ユーザが提供した天気条件を満たす場所候補に係る情報がユーザに提供されることを特徴とすることを特徴とする気象情報に基づく生活レジャー情報検索システム。
【請求項２】
前記外出サーチ用の画面において、前記天気条件設定欄に加えて、場所候補選択手段である場所候補設定欄と、目的ジャンル選択手段である目的ジャンル設定欄とを設け、前記場所候補設定欄で選択された場所候補および前記目的ジャンル設定欄で選択された目的ジャンルに関して、前記天気条件設定欄で選択された天気条件を満たす場所候補がユーザに提供されることを特徴とする請求項１記載の気象情報に基づく生活レジャー情報検索システム。
【発明の詳細な説明】
【０００１】
【発明の属する技術分野】
本発明は、気象情報に基づく生活レジャー情報検索システムに関し、特に、休日や祝日にユーザがレジャーで外出するとき、リアルタイム気象予報による気象情報に基づいて個々のユーザが必要とする外出先に係る気象情報を提供し、ユーザのレジャー生活を支援する気象情報に基づく生活レジャー情報検索システムに関する。
【０００２】
【従来の技術】
従来の最も一般的な気象予報（天気予報）は気象庁が発表する気象予報である。この天気予報は、１日に３回（朝、昼、夕）、テレビやラジオの放送手段等を利用して発表されている。他方、民間の各気象会社から発表される気象予報もある。各気象会社は、気象庁から提供される予報資料のデータと、各種の気象情報配信施設（気象観測所等）から配信される実況値のデータとに基づいて気象予報を行っている。各気象会社は、それぞれ予め定められた予報手法に基づいて、各観測地点における気象予報、あるいは所望の観測地点周辺における気象予報を行う。各気象会社による気象予報は、テレビジョンによる放送、電話回線による音声での提供、ファクシミリ送信による提供、あるいはインターネットによる提供によってユーザに与えられる。
【０００３】
【発明が解決しようとする課題】
従来の気象会社による気象予報の発表は、定められた時刻に気象庁等から与えられた予報資料と実況値の各データを用いて行われていたため、比較的に長い一定の時間間隔で行われ、リアルタイムでの象予報が発表されるということはなかった。
【０００４】
そこで本出願人は、先に、仮に予報資料に係るデータや実況値に係るデータが入手できないときであっても、予測手法を取り入れて気象予報を行えるようにし、高い精度でかつリアルタイムで気象予報を行うことができると共に、ユーザの要求に応じた気象情報通知を行えるシステムを提案した。
【０００５】
一方、ユーザの立場から天気情報の利用を考慮すると、特に休日等のレジャー（余暇）で外出しようとするときに、外出先の地域または場所の天気状態がユーザ到着時に正確にどのようになるのかが取得したい天気情報である。ユーザにおいては、出かけようとする現地の天気の良・不良に応じて、外出先が変更される場合も有り得る。そこで、かかる天気情報をユーザが求めるときに即座に提供することのできる天気情報サービスシステムが求められる。このような天気情報サービスシステムを提供できるようにするためには、その前提として、前述したリアルタイムで精度の高い気象予報が行える気象予報システムおよび気象情報通知システムが存在することが必要である。換言すれば、前述のリアルタイムの気象予報システム等を利用してユーザの余暇時の外出の際に外出先の所望時刻における精度の高い気象情報を提供する天気情報サービスシステムを実現することが可能となる。
【０００６】
本発明の目的は、上記の課題に鑑み、ユーザが例えばレジャー等の目的で外出しようとするとき、外出先における所望時点での最新のより正確な気象情報を得ることができ、多数のレジャー先での天気情報を検索できる気象情報に基づく生活レジャー情報検索システムを提供することにある。
【０００７】
【課題を解決するための手段】
本発明に係る気象情報に基づく生活レジャー情報検索システムは、上記の目的を達成するために、以下のように構成される。
【０００８】
第１の本発明に係る生活レジャー情報検索システム（請求項１に対応）は、外部から与えられる予報資料データおよび／または実況値データあるいは内部で用意される代用の予測データのうち少なくとも１つのデータを用いて気象情報データを予測・生成することにより気象予報情報を常時作成する気象予報システムと、生活レジャーに関連する外出先の各種情報を格納する記憶部と、ユーザ端末に基づくユーザからのサービス提供のアクセスに応じて、ユーザ端末の表示画面に、記憶部に格納される各種情報に使用して外出に関連する検索プロセスを実行させる連続的な検索画面を表示させ、ユーザによって選定された外出先に係る気象情報を気象予報システムから取得して通知するウェブサーバ（検索画面・気象情報提供部）と、から構成され、さらに、上記の連続的な検索画面に含まれる外出サーチ用の画面において天気条件設定欄を設けることにより、外出サーチ用の画面に基づく検索条件設定用選択手段に天気条件設定用選択手段を設け、検索条件に天気条件を含ませ、ユーザが提供した天気条件を満たす場所候補に係る情報がユーザに提供されるように構成される。この構成によれば、お天気サイトの利用の上で用いられる検索条件として天気条件を用いることが可能となる。
【０００９】
上記の生活レジャー情報検索システムでは、リアルタイムで気象予報を行えるように構成された気象予報システムを活用することにより、ユーザがレジャーで外出する時の外出先の現地の気象情報を携帯電話等のユーザ端末の画面で入手することができる。上記気象予報システムによれば、気象庁等から予報資料や実況値等の情報を入手できる定期的な時点以外の当該情報を入手できない時点であっても、過去に入手等して記憶部に記憶されている予報資料等のデータを用いて予測処理を行い、最新のデータを用いて気象予報が可能であるので、常時リアルタイムで精度の高い気象予報を行い、正確な気象情報を通知できる。
【００１０】
第２の本発明に係る生活レジャー情報検索システム（請求項２に対応）は、上記のシステム構成において、好ましくは、外出サーチ用の画面において、天気条件設定欄に加えて、場所候補選択手段である場所候補設定欄と、目的ジャンル選択手段である目的ジャンル設定欄とを設け、場所候補設定欄で選択された場所候補および目的ジャンル設定欄で選択された目的ジャンルに関して、天気条件設定欄で選択された天気条件を満たす場所候補がユーザに提供されることで特徴づけられる。
【００１１】
【発明の実施の形態】
以下に、本発明の好適な実施形態を添付図面に基づいて説明する。
【００１２】
図１は本発明に係る気象情報に基づく生活レジャー情報検索システムのシステム構成図である。この生活レジャー情報検索システム１０は、気象予報システム１に対して検索画面・気象情報提供部１１と外出先に関する各種の情報を格納する記憶部１２を組み合せることによって構成されている。気象予報システム１は、先に本出願人が出願した特願２００２−５１７０３に開示されたリアルタイムの気象予報を行える気象予報システムである。検索画面・気象情報提供部１１はウェブサーバとして構成される。検索画面・気象情報提供部１１と外出先に関する各種の情報を格納する記憶部１２はウェブサイト１３を形成する。ウェブサイト１３では、生活レジャー情報検索システム１０によって後述する「おでかけサーチ」のサービスを提供する。
【００１３】
生活レジャー情報検索システム１０を利用するユーザは、好ましくは気象予報システム１の登録会員となっていることを条件にして、各々の各種のユーザ端末２１を利用してインターネット通信網２２を経由して生活レジャー情報検索システム１０にアクセスし、提供される検索画面に従って操作しながら必要とする気象情報（天気情報）２３を入手する。生活レジャー情報検索システム１０は、多数のユーザのそれぞれから、ユーザ端末２１によって送信されてくる情報を受信する。
【００１４】
気象予報システム１は、予め設定された多数の場所（地域）のそれぞれについてリアルタイムの気象予報を行うシステムである。気象予報システム１で作られた気象情報に基づいて、各ユーザが要求する天気情報に応じて、各ユーザに対して必要な天気情報が提供される。天気情報はユーザの各ユーザ端末２１に送信される。
【００１５】
生活レジャー情報検索システム１０は、インターネット通信網２２を介して多数のユーザのそれぞれのユーザ端末２１と接続される。また生活レジャー情報検索システム１０とユーザ端末２１とを接続する手段としては、インターネット通信網２２の他に、例えば電話回線を利用した回線、携帯電話回線、データ放送、ケーブルテレビジョン通信、双方向で情報送受信可能なテレビジョン通信、イントラネット、パソコン通信、衛星通信などを利用できる。
【００１６】
多数のユーザの各々は、生活レジャー情報検索システム１０を利用して生活レジャー情報検索のサービスを受けようとするとき、検索画面・気象情報提供部１１にアクセスする。検索画面・気象情報提供部１１は、後述する「おでかけサーチ」を実行させるためのウェブサーバである。検索画面・気象情報提供部１１では、後述されるように、天気条件による気象のための検索を行うことが可能な検索画面用ウェブページが用意されている。検索画面・気象情報提供部１１は、ユーザからのアクセスを受け付けて検索画面提供の応答を行うと共に、この検索画面での操作に関してユーザから提供される必要な情報を受信し、かつ必要とされる気象情報等を提供する機能を有している。
【００１７】
生活レジャー情報検索システム１０の記憶部１２では、レジャー施設のデータベース１２Ａ、レジャーに係るイベントのデータベース１２Ｂ、その他の情報のデータベース１２Ｃ等を備えている。データベース１２Ａではレジャー施設の名称および関連事項（場所や特徴等）、データベース１２Ｂではイベントの名称および関連事項（日時、場所、特徴等）を、例えばリストとして、あるいはリンク（ポインタ）関係に基づいて取り出すことが可能である。記憶部１２の各データベースの保存内容は、検索画面・気象情報提供部１１により利用され、必要な情報が取り出される。
【００１８】
最初に、リアルタイムで気象予報を行える気象予報システム１について説明する。
【００１９】
気象予報システム１は、設定された各場所の気象情報の予測および作成を行うシステムである。気象予報システム１は、気象情報予測および気象情報通知を行う気象情報予測通知システム３と、ユーザ端末２１から登録通知情報２４を受付けて処理するユーザ登録システム４と、設定されたユーザに関する情報を記憶するデータベース５を備えている。気象予報システム１は気象庁Ａおよび複数の観測所Ｂと通信網を経由して接続されている。気象予報システム１は、気象庁Ａから予報資料Ｍのデータを受信し、観測所Ｂから実況値Ｄのデータを受信する。
【００２０】
図５に、ユーザ端末２１を用いて登録を行うときの登録画面の一例を示す。この登録画面例はユーザ端末２１としてインターネットアクセス可能な携帯電話を利用した場合の例である。最初の画面１１１では、登録を行うための実行ボタン１１１ａと戻るボタン１１１ｂが用意される。実行ボタン１１１ａを押すと、画面１１２に移る。画面１１２では、気象予報の通知を受ける希望地点（地点１〜５）が複数示されている。従って、ユーザはここから通知希望地点を指定する。さらに次のステップでは画面１１３に移る。画面１１３では希望する気象に関する情報を指定する。画面１１３の下側には隠れた状態で他の指定ボタンが設けられている。最後には登録ＯＫボタン１１３ａを指定して登録を完了する。なおキャンセルボタン１１３ｂも設けられている。上記の画面１１２，１１３で指定された内容が、前述の登録通知情報２４としてユーザ登録システム４に受け付けられ、処理される。
【００２１】
気象情報予測通知システム３は、原則的に外部から与えられた予報資料Ｍと実況値Ｄの各データを用いて、かつ独自の気象予測モデルに基づいて気象情報の予測を行い、気象情報を作成する。予報資料データと実況値データのうち両方またはいずれか一方が受信不能のときには、欠落した受信不能データに対応するデータを予測処理で作成し、当該データを用いて、かつ上記気象予測モデルに基づいて気象情報の予測を行う。さらに予報資料データと実況値データとは関係なく、代用のデータを用いて気象情報の予測を行う。これにより、気象情報予測通知システム３では、リアルタイムの気象情報を作成できる。
【００２２】
気象情報予測通知システム３が、ユーザ端末２１に対して要求された気象情報を通知するか否かは、ユーザ登録システム４が予めユーザ端末２１から受信し、かつデータベース５に記憶された各ユーザに関する情報に基づいて行われる。データベース５では、登録通知情報２４によって指示される種々の情報を、これら情報の登録を行ったユーザ端末２１に対応させて記憶し、気象情報通知システム３から読出しを希望された場合には、記憶した情報を気象情報通知システム３に対して出力する。
【００２３】
なお気象予報システム１では、データベース５に、各地の地形に関する情報が予め記憶されている。データベース５は、気象情報通知システム３に対して通知を希望する地点の情報が出力される場合に、通知希望地点周辺の地形に関する情報を出力する。
【００２４】
次に、気象予報システム１で用いられる予報資料Ｍと実況値Ｄの内容、登録通知情報２４の内容について説明する。
【００２５】
予報資料Ｍは気象予報を行うための資料データである。予報資料Ｍは、気象庁Ａまたは気象に関する情報を作成する機関、法人、並びに個人等の外部から提供される。例えば気象庁から提供される予報資料Ｍは、測定された気象に関する各種要素の観測数値に基づいて行う数値予報の結果求められた気象要素や物理量（渦度、鉛直速度など）の予測値をいう。この予測値は、各地点における各気象要素の数値情報に基づいて、その地点における各気象要素の推移を予想した情報である。当該予測値は、例えば、気象レーダー観測データを解析して得た値から予測する解析雨量・降水短時間予報・ガイダンス等である。上記の予報資料Ｍは、５１時間先までの３時間毎の時刻における各種気象要素の予測値として気象庁Ａから提供される。
【００２６】
実況値Ｄは、各観測地点において観測された各気象要素の観測データ、および、観測結果を解析した解析データである。実況値Ｄは、気象庁Ａまたは気象に関する情報を作成する機関、法人、並びに個人等の外部から提供される。例えば気象庁Ａから提供される実況値Ｄは、降水量、風速、気温、日照、気象衛星による観測値等の気象の現況を表す気象要素の数値あるいは気象要素から導き出される物理量である。実況値Ｄは、主に、日本各地に約２０Ｋｍ間隔で設置された観測施設における観測時刻の観測値として気象庁Ａの観測所Ｂから提供される。実況値Ｄは、予報資料Ｍと対をなして使用される。この実施形態では、実況値Ｄは、気象庁Ａが設けた気象台等の観測所Ｂからのデータとするが、気象に拘わる各種情報配信施設等の観測所Ｂからも受信可能に形成してもよい。さらにこの実施形態では、実況値Ｄは１０分ごとに観測所Ｂから受信するよう形成するが、観測所Ｂの観測した実況値Ｄが常時送信される場合には、実況値Ｄは常時入力され、この結果、リアルタイムでの気象予報を行うことが可能となる。
【００２７】
登録通知情報２４は、ユーザ端末２１の利用者が、通知を希望する気象条件を含む情報（図５の画面１１２，１１３に示される内容）であり、気象予報システム１においてユーザ登録システム４を経由してデータベース５に登録される。登録通知情報２４には、通知を希望する地点に関する利用登録地点情報と、降水情報、気温情報、風速情報、湿度情報、波浪情報、花粉情報、紫外線情報、大気汚染情報、通知時刻情報等の気象条件に係る情報を含んでいる。
【００２８】
気象予報システム１は、詳説しないが、ＣＰＵとモニタとメモリとハードディスク等の記憶装置とで構成されるコンピュータシステムから構成される。気象予報システム１は、気象予報システム１が扱うユーザ端末２１の数や気象予報を行う範囲等に応じて、複数のコンピュータシステムによって構成されてもよい。
【００２９】
ユーザ端末２１は、入力部、情報処理部、および出力表示用ディスプレイからなるコンピュータシステムで構成される。インターネットのサイトアクセスが可能な携帯電話等もユーザ端末２１として用いられる。ユーザ端末２１は、気象予報システム１と、これを含む正確レジャー情報検索システム１０とに対して登録通知や気象情報の入手を行うときに使用・操作される。なお、この実施形態では、ユーザ端末２１をコンピュータシステムとして説明するが、ユーザ端末２１は、気象予報システム１と接続する通信網に接続可能であって、気象予報システム１に対して登録通知情報等を送信することが可能であり、さらに気象予報システム１から気象予報を受信可能であれば、ファクシミリ、双方向通信可能なテレビジョンシステム等の他の手段によって形成してもよい。
【００３０】
次に気象予報システム１をさらに詳しく説明する。気象予報システム１は、前述の通り、気象情報予測通知システム３とユーザ登録システム４と利用者登録データベース５とから構成される。気象情報予測通知システム３の構成をさらに詳しく示すと、図２に示すごとく、実況値データ／予報資料データ監視予測部１０１と、気象情報予測処理部１０２と、ユーザ別情報処理部１０３と、情報通知処理部１０４とから成る。これらの構成要素の各々の働きに関しては、図３に示すごとく、実況値データ／予報資料データ監視予測部１０１は、実況値データ／予報資料データ監視予測工程３１を実施し、気象情報予測処理部１０２は気象情報予測処理工程３２を実施し、ユーザ別情報処理部１０３はユーザ別情報処理工程３３を実施し、情報通知処理部１０４は情報通知処理工程３４を実施する。
【００３１】
図３において、ユーザ登録システム４で実施される登録工程は、登録受付判断ステップ４ａと、個別情報作成ステップ４ｂと、ユーザ情報登録ステップ４ｃとからなる。ユーザ登録システム４の登録受付判断ステップ４ａは、ユーザから通知情報の受付けがあるか否かを監視するステップであり、通知情報の受付けがあった場合には個別情報作成ステップ４ｂを実行し、受付けがなかった場合には再び登録受付判断ステップ４ａを実行し、常に受付けがあるか否かを監視する。個別情報作成ステップ４ｂは、ユーザ端末２１から通知希望地点、通知を希望する条件、ユーザ端末２１への通知方法、ＩＤ情報からなる通知情報２４を受付けて個別情報を作成するステップである。ユーザ情報登録ステップ４ｃは、個別情報作成ステップ４ｂによって作成された個別情報を、ユーザ端末２１に対応してデータベース５へ記憶する。
【００３２】
データベース５は、個別情報作成ステップ４ｂによって作成された個別情報を保存する。この実施形態では、例えば、通知情報２４は、ユーザ端末２１が通知希望地点について、通知を希望する気象条件と気象予報とが一致した場合に通知するので、通知を希望する気象条件に関する情報が含まれる。
【００３３】
次に気象情報予測通知システム３による各工程での動作を説明する。
【００３４】
実況値データ／予報資料データ監視予測工程３１は、実況値データ受信確認ステップ３１ａと、実況値データ受信処理ステップ３１ｂと、実況値データ解析ステップ３１ｃと、実況値データ予測ステップ３１ｄ、予報資料データ受信確認ステップ３１ｅと、予報資料データ受信処理ステップ３１ｆと、予報資料データ解析ステップ３１ｇと、予報資料データ予測ステップ３１ｈとからなる。ステップ３１ａ，３１ｂ，３１ｃ，３１ｄは実況値Ｄのデータに関するステップである。ステップ３１ｅ，３１ｆ，３１ｇ，３１ｈは予報資料Ｍのデータに関するステップである。
【００３５】
実況値データ受信確認ステップ３１ａは、実況値Ｄに係るデータの受信があったか否かを判断するステップであり、受信があった場合には実況値データ受信処理ステップ３１ａを実行し、受信がなかった場合には実況値データ予測ステップ３１ｄを実行する。
【００３６】
実況値データ受信処理ステップ３１ｂは、実況値データ受信確認ステップ３１ａが実況値Ｄに係るデータの受信を確認すると実行され、送信された実況値Ｄのデータを受信して記憶部（図示せず）に一時的に記憶する。
【００３７】
実況値データ解析ステップ３１ｃは、受信処理ステップ３１ｂに続けて実行され、実況値データ受信処理ステップ３１ｂで受信した実況値Ｄのデータを気象情報予測処理工程３２で行う予測の資料として使用できるようにデータ処理するステップである。ステップ３１ｃで解析された実況値Ｄの解析データは、記憶部に記憶される。このとき解析された解析データは、データベース５に記憶してもよく、また、他に設ける記憶部（図示せず）に記憶してもよい。そして、記憶された実況値Ｄのデータは、受信した時刻と共に記憶されており、後に既に記憶した実況値Ｄのデータとして使用することが可能である。
【００３８】
実況値データ予測ステップ３１ｄは、実況値データ受信確認ステップ３１ａが実況値Ｄのデータの受信を確認しなかった場合に、当該受信のタイミングに応じて、受信確認ステップ３１ａに続けて実行される。実況値データ予測ステップ３１ｄでは、既に受信し記憶装置に記憶された実況値Ｄのデータから現在時刻における実況値Ｄを予測するステップである。実況値データ予測ステップ３１ｄで行われる実況値Ｄの予測は、最後に受信した実況値Ｄのデータとさらにそれ以前に受信した一連の実況値Ｄとに基づいて、予測処理時刻における実況値Ｄを予測する。従って、予測される実況値Ｄは、各データの要素を経時的に処理して求める。すなわち、時系列的傾向（トレンド）に基づいて実況値データが予測される。このとき予測で得られた実況値データは、データベース５に記憶してもよく、また、他に設ける記憶部に記憶してもよい。
【００３９】
予報資料データ受信確認ステップ３１ｅは、予報資料Ｍに係るデータの受信があったか否かを判断するステップであり、受信があった場合には予報資料データ受信処理ステップ３１ｆを実行し、受信がなかった場合には予報資料データ予測ステップ３１ｈを実行する。
【００４０】
予報資料データ受信処理ステップ３１ｆは、受信確認ステップ３１ｅが予報資料Ｍのデータの受信を確認すると実行され、送信される予報資料Ｍのデータを受信して記憶部に一時的に記憶する。
【００４１】
予報資料データ解析ステップ３１ｇは、受信処理ステップ３１ｆに続けて実行され、受信処理ステップ３１ｆで受信した予報資料Ｍのデータを気象情報予測処理工程３２で行う予測の資料として使用できるようにデータ処理するステップである。予報資料データ解析ステップ３１ｇで解析された予報資料Ｍの解析データは、図示しない記憶部に記憶され、実況値データ解析ステップ３１ｃでの実況値Ｄの解析データ同様、データベース５に記憶してもよく、また、他に設ける記憶部に記憶してもよい。そして、記憶された予報資料Ｍに係るデータは、受信した時刻と共に記憶されており、後に既に記憶した予報資料Ｍのデータとして使用することが可能である。
【００４２】
予報資料データ予測ステップ３１ｈは、予報資料データ受信確認ステップ３１ｅが予測資料Ｍのデータの受信を確認しない場合に、受信のタイミングに合わせて実行される。予報資料データ予測ステップ３１ｈでは、既に受信した予報資料Ｍのデータから現在時刻における予報資料Ｍを予測するステップである。予報資料データ予測ステップ３１ｈで行われる予報資料Ｍの予測は、最後に受信した予報資料Ｍのデータとそれ以前に受信した予報資料Ｍのデータとに基づいて、予測処理する時刻における予報資料を予測する。従って、予測される予報資料Ｍは、各データの要素を経時的に処理して求められる。すなわち、時系列的傾向（トレンド）に基づいた予報資料データの予測である。このとき予測で得られたデータは、データベース５に記憶してもよく、また他に設ける記憶部に記憶してもよい。
【００４３】
上記の実施形態では、図３に示す気象情報予測通知システム３のフローチャートが終了すると、直ちに再び同フローチャートが実行される。従って、一定のタイミングで常時新たな予報資料Ｍのデータと実況値Ｄのデータを受信するか、あるいは、予報資料Ｍのデータと実況値Ｄのデータの両方またはいずれか一方（「予報資料データおよび／または（and/or）実況値データ」とも記す）を受信しなかったときに、当該受信タイミングで、受信しなかったデータについて時系列的傾向に基づいて予測を行って予測データを得ている。
【００４４】
また予報資料データおよび／または実況値データを受信しなかったときの予報資料Ｍと実況値Ｄの各データの予測を、例えば５分毎等所定間隔毎に行うよう構成してもよい。この場合には、前述した受信確認ステップ３１ａ，３１ｅが、本来的に外部（気象庁Ａ等）から提供される予報資料Ｍのデータまたは実況値Ｄのデータの未受信状態経過時間を監視し、所定時間経過後に実況値データ予測ステップ３１ｄを実行し、さらに続けて予報資料データ予測ステップ３１ｆを実行するよう形成すればよい。
【００４５】
また未受信状態が５分未満に間に、実況値Ｄのデータを受信したときには、受信処理ステップ３１ｂ以下の処理を行い、未受信状態の監視時間を０からカウントし、同様に未受信状態が５分未満に予報資料Ｍのデータを受信したときには、データ予測ステップ３１ｄを実行し、続けて受信確認ステップ３１ｅ乃至予報資料データ解析ステップ３１ｇを実行する。
【００４６】
以上のごとく、実況値データ／予報資料データ監視予測工程３１によれば、気象予報を常時（任意の時間間隔または任意の設定時刻）に行えるようにするべく、外部から提供される気象予報基礎データを適宜なタイミングで監視し、任意の設定時刻に予報資料データ（Ｍ）および／または実況値データ（Ｄ）が受信（入力）されるようにし、予報資料データおよび／または実況値データが受信されないときには、受信されなかったデータ（欠落データ）について予測データを生成するようにしている。
【００４７】
次に気象情報予測処理工程３２が実施される。この気象情報予測処理工程３２は、監視位置読込ステップ３２ａ、解析処理ステップ３２ｂ、気象予測ステップ３２ｃ、予報情報作成ステップ３２ｄとからなる。
【００４８】
監視位置読込ステップ３２ａは、実況値データ／予報資料データ監視予測工程３１に続けて実行される。監視位置読込ステップ３２ａは、気象予測可能な全ての地点の情報およびこれら地点の地形に関する情報（以下「地形情報」という）を取得する。この時に取得する監視可能な全ての地点の情報および地形情報は、データベース５に予め記憶されており、データベース５から取得する。なお監視可能な全ての地点の情報および地形情報は、データベース５以外に設けた記憶部から取得するように構成してもよい。
【００４９】
解析処理ステップ３２ｂは、監視位置読込ステップ３２ａに続けて実行され、実況値データ／予報資料データ監視予測工程３１で取得された予報資料データ（Ｍ）および実況値データ（Ｄ）と、既に取得されている過去の予報資料データおよび実況値データとに基づいて、例えば５１時間先までの気象変化傾向（この場合の「気象変化傾向」とは、連続的に監視している気象実況値のみの時系列的変化と量的変化をいう）を算出した気象変化傾向データを作成する。実況値データ／予報資料データ監視予測工程３１で取得された予報資料データおよび実況値データは、前述した通り、受信された予報資料データおよび／または実況値データと、受信されなかったデータに関して予測によって得られた予報資料データおよび／または実況値データとからなる。
【００５０】
解析処理ステップ３２ｂでは、気象予報システム１の予報可能なすべての地点についての気象変化傾向データが作成される。気象予報システム１の予報可能な地点は、この実施形態では日本全土であり、日本各地を緯度および経度の方向に例えば約２０Ｋｍ毎に格子状に分割した際の緯度と経度の格子点について気象変化傾向データを作成する。これらデータは、１台のコンピュータによってすべての領域について作成してもよく、また、複数用意するコンピュータ毎に地域を割当て分割処理させて作成してもよく、あるいは、求める地点を複数のコンピュータに順次割当て作成させてもよく、地域全体のデータが作成可能であればどのような手段によってもよい。さらに、気象変化傾向データを求める地域は、日本全土ではなく、例えば関東地方等狭い地域でもよく、全世界であってもよい。
【００５１】
次に気象予測ステップ３２ｃは、解析処理ステップ３２ｂに続けて実行され、上記の各格子点の表す地点における気象の時系列的変化および量的変化を、解析処理ステップ３２ｂで作成した気象変化傾向データと、予報資料Ｍおよび実況値Ｄの各データとに基づいて予測する。ここで「予報資料Ｍおよび実況値Ｄの各データ」は、実況値データ／予報資料データ監視予測工程３１で取得された予報資料データおよび実況値データである。これは、前述した通り、受信された予報資料データおよび／または実況値データと、受信されなかったデータに関しては予測によって得られた予報資料データおよび／または実況値データである。気象予測ステップ３２ｃによって予測されるデータは、気象予報システム１の予報可能な全地域の上記格子点の地点について予測された気象の時系列的変化および量的変化であり、日本各地を緯度および経度の方向に約２０Ｋｍ毎に格子状に分割した際の緯度と経度の格子点における気象予報データとなる。
【００５２】
気象予測ステップ３２ｃで行われる気象予測の詳細は次の通りである。気象情報予測通知システム３の実況値データ／予報資料データ監視予測工程３１に予報資料Ｍのデータと実況値Ｄのデータの両方が入力されるときには、気象予測ステップ３２ｃでは、実況値データ解析ステップ３１ｃによって解析されかつ記憶された実況値データ（Ｄ）と、予報資料データ解析ステップ３１ｇによって解析されかつ記憶された予報資料データ（Ｍ）と、以前に入力して記憶した（または「既に入力して記憶している」、以下同じ）予報資料Ｍおよび実況値Ｄの各データとによって解析処理を行う。
【００５３】
気象情報予測通知システム３の実況値データ／予報資料データ監視予測工程３１に予報資料Ｍのデータのみが入力されるときには、気象予測ステップ３２ｃでは、実況値データ予測ステップ３１ｄによって予測され記憶された実況値データと、予報資料データ解析ステップ３１ｇによって解析され記憶された予報資料データと、以前に入力して記憶した予報資料Ｍおよび実況値Ｄの各データとによって解析処理を行う。
【００５４】
気象情報予測・通知システム３の実況値データ／予報資料データ監視予測工程３１に実況値Ｄのデータのみが入力されるときには、気象予測ステップ３２ｃでは、実況値データ解析ステップ３１ｃで解析され記憶された実況値データと、予報資料データ予測ステップ３１ｈによって予測された予報資料データと、以前に入力して記憶した予報資料Ｍおよび実況値Ｄの各データとによって解析処理を行う。
【００５５】
さらに、気象情報予測通知システム３の実況値データ／予報資料データ監視予測工程３１に予報資料Ｍおよび実況値Ｄの両方のデータの入力がない場合には、気象予測ステップ３２ｃでは、実況値データ予測ステップ３１ｄと予報資料データ予測ステップ３１ｈによって予測された実況値データおよび予報資料データと、以前に入力して記憶した予報資料Ｍおよび実況値Ｄの各データとによって解析処理を行う。
【００５６】
以上のごとく、気象予測ステップ３２ｃ（気象情報予測手段）によれば、受信手段で入力された最新の予報資料データおよび／または実況値データと、予測データ生成手段で生成された最新の予測データとを利用して、気象（気象情報データ）を予測して生成し、入力された最新の予報資料データおよび／または実況値データと、入力されなかったデータに関する最新の予測データとを用いて、気象予報を常時行えるように構成されている。このような構成によってリアルタイムの気象予報を行うことができる。
【００５７】
図４にリアルタイムによる気象予報の情報作成を示す。図４で、（Ａ）は本実施形態に基づくリアルタイムの予報編集を示し、（Ｂ）は気象庁予報資料の発表タイミングを示し、（Ｃ）は従来の固定時刻による予報発表を示す。これらの比較で明らかなように、本実施形態の気象予報によれば、予報作成が、短い時間間隔で行われる。なお前述の実施形態は一例であって、リアルタイムの気象予報は当該実施形態に限定されない。
【００５８】
予測情報作成ステップ３２ｄは、気象予測ステップ３２ｃで作成された全地域の気象予測データから、通知希望地点の気象予測データを作成する。すなわち、予測情報作成ステップ３２ｄで作成される気象予測データは、既に作成された上記格子点における気象予測データから、ユーザ端末２１が通知希望する地点（格子地点に限らない）の気象予測データを、通知希望地点に関するデータおよびその周辺の地形に関するデータ、さらには、通知希望地点の周辺地点の気象予測データに基づいて、上記格子状に分割した際の緯度と経度の格子点から位置的に補間作成する通知位置気象予測データである。このように求められる通知位置気象予測データは、データベース５に登録された全ての通知情報Ｃが表す地点について作成される。従って、予測情報作成ステップ３２ｄで作成された通知位置気象予測データは、ユーザ端末２１が所望する地点の気象予測データである。
【００５９】
ユーザ別情報処理工程３３は、通知情報読込ステップ３３ａ、通知判断ステップ３３ｂ、通知情報作成ステップ３３ｃとからなる。
【００６０】
通知情報読込ステップ３３ａは、データベース５に記憶された通知情報Ｃを読込む。すなわち、通知情報読込ステップ３３ａでは、各ユーザ端末２１によってデータベース５に登録された全ての通知情報によって指示される通知希望地点における各情報を読込む。
【００６１】
通知判断ステップ３３ｂは、予測情報作成ステップ３２ｄで作成した通知位置気象予測データと、通知情報読込ステップ３３ａによって読み込まれた通知情報Ｃの指示する通知希望地点における降水情報等とを比較し、前者の気象予測データと、同地点についての通知情報が指示する降水情報等の各種情報の何れかとが一致するか否かを判断する。そして判断結果が一致していれば、続けて通知情報作成ステップ３３ｃを実行し、一致していなければ、再び実況値データ／予報資料データ監視予測工程３１に戻る。通知判断ステップ３３ｂが、一致しないと判断する限りは、実況データ／予報資料データ監視予測工程３１、気象情報予測処理工程３２、通知情報読込ステップ３３ａ、通知判断ステップ３３ｂの処理を繰返すこととなる。
【００６２】
通知判断ステップ３３ｂでは、相対的に短い時間間隔で頻繁に気象予報が行われるので、気象予報を行う度に通知情報Ｃと気象予報との一致が続きユーザ端末２１への通知が頻繁に行われてしまわないように、通知判断の結果を各ユーザ端末２１毎に記憶しておき、通知判断を行った結果が前回通知判断を行った結果と一致した場合にも通知しないと判断するよう構成される。
【００６３】
通知情報作成ステップ３３ｃは、通知判断ステップ３３ｂが一致すると判断した場合等通知判断ステップ３３ｂに続けて実行され、通知情報に一致する予測情報作成ステップ３２ｄで作成された通知位置気象予測データから、ユーザ端末２１へ実際に通知するユーザ通知情報を作成する。
【００６４】
情報通知処理工程３４は、データベース５を参照し、通知情報作成ステップ３３ｃで作成されたユーザ通知情報を、ユーザの指定する通知先へ通知する工程である。情報通知処理工程３４による処理後は、再び実況データ／予報資料データ監視予測工程３１に戻る。情報通知処理工程３４では、通知すべきユーザ端末２１および通知すべき情報が複数存在した場合には、それらのユーザ通知情報をユーザ端末２１へ通知する。情報通知処理工程３４は、ユーザ情報読込ステップ３４ａ、通知方法判定ステップ３４ｂ、通知処理ステップ３４ｃとからなる。
【００６５】
ユーザ情報読込ステップ３４ａは、通知情報作成ステップ３３ｃで作成されたユーザ通知情報を通知するユーザ端末２１の登録情報をデータベース５から参照して読込む。すなわち、ユーザ情報読込ステップ３４ａでは、データベース５からユーザ通知情報を送信するユーザ端末２１への送信先についての情報を読込む。ユーザ情報読込ステップ３４ａでは、登録したユーザ端末２１の希望する通信方法、すなわち、ユーザ端末２１がインターネット通信網２２に接続されており、ユーザ端末２１が情報の送信を希望するのか、気象予報システム１に開設する気象予報ウェブサイトへユーザ端末２１が閲覧に来るのか、ユーザ端末２１が携帯電話でありユーザ端末２１の携帯電話へ携帯電話データ通信回線を通じての送信を希望するのか、ユーザ端末２１である携帯電話へ或いはユーザ端末２１の指定する携帯電話あるいは通常電話へその音声通信回線を通じて送信を希望するのかを、読込むことができる。
【００６６】
通知方法判定ステップ３４ｂは、ユーザ情報読込ステップ３４ａによって読込まれたユーザ端末２１への通信方法がどのような方法によるかを判定するステップである。
【００６７】
ユーザ端末２１が携帯電話であり、ユーザ端末２１の携帯電話が気象予報システム１の提供する気象予報ウェブサーバへ接続してユーザ通知情報を閲覧する場合には、図６に示すユーザ端末２１の携帯電話に表示される画面に例示するような通知画面を、気象予報システム１の提供するウェブサーバに、データベース５にユーザ端末２１と対応して記憶された携帯電話の番号等のＩＤ情報をキーに閲覧表示可能にウェブページを設けておき、ユーザ端末２１である携帯電話がウェブサーバに接続してきたときには、携帯電話の電話番号等のＩＤ情報をキーに閲覧させることもできる。
【００６８】
次に図７〜図１０を参照して本実施形態による気象情報に基づく生活レジャー情報検索システムを、検索プロセスに基づいて、説明する。この検索システムは、レジャーで外出するときに、外出候補先の天気予報を検索することにより外出予定の計画に有用であり、前述の通り「おでかけサーチ」と称されるサービスを提供するシステムである。検索システム１０は、それ自体、前述した検索画面・気象情報提供部１１によって構築される。検索システム１０では、気象情報は、前述の気象予報システム１の気象情報予測通知システム３から取得し、イベント、行楽地、施設等の情報は記憶部１２の各データベース（Ｄ／Ｂ）１２Ａ〜１２Ｃから取得する。検索システム１０の検索プロセスの説明は、検索プログラムのフローチャートではなく、検索を行う際のユーザ端末２１の表示画面での表示内容と、表示画面の推移と、操作手順に基づいて説明される。以下の説明で、ユーザ端末２１はインターネット対応の携帯電話であり、表示画面は携帯電話の画面である。そこで以下では携帯電話２１と記す。またこの検索プロセスは、ジャンルとしてアウトドアを指定する場合の例である。
【００６９】
図７で、気象予報システム１の登録会員であるユーザが「おでかけサーチ」のサービスを受けるべく、携帯電話２１を操作してインターネット２２を経由して検索画面・気象情報提供部１１のウェブサーバにアクセスすると、初期画面２０１が表示される。初期画面２０１は各種のサービスの内容が表記されたメニュー画面である。実際、検索画面・気象情報提供部１１のウェブサーバは気象予報システム１のウェブサーバと実質的に共通であるので、提供されるサービスには、気象予報システムによって提供される前述したリアルタイムの気象情報提供サービスである「Ｍｙお天気」、および本実施形態に係る「おでかけサーチ」、その他のサービスが表記されている。
【００７０】
初期画面２０１のメニューで「おでかけサーチ」を選択すると、画面２０２に移る。画面２０２では場所と目的と天気条件が選択または設定される。画面２０２を拡大して示す図８のようになる。図８で図解されるように、この画面２０２は検索条件設定のための画面である。場所については「どこで」に記載されるように都道府県名であり、ブロック２０３に示されるように第１候補から第３候補までが示されている。第１候補から第３候補の各選択欄において、選択子を移動させることにより任意の都道府県名を選択することができる。目的については「何を」に記載されるようにレジャー目的に合わせてジャンルが選択される（ブロック２０４）。ジャンルの例としては図９に示される。図９に示した例では、「アミューズメント」、「文化施設」、「観光地」、「温泉地」、「スポーツ観戦」、「マリン」、「アウトドア」、「ゴルフ」、「スキー」、「つり」、「イベント」等が用意されている。また図８に戻って、天気条件を設定する欄２０５に関しては、「設定」を選択すると、図１０に示される天気条件設定の画面２０６に移り、対象日を選択することができる（ブロック２０７）。また選択された３つの候補の中から雨の予報が出ていない場所だけを検索するという選択を行うことによって、該当する施設を抽出することを可能にする（２０８）。
【００７１】
図７に戻って、前述した「おでかけサーチ」の画面２０２において場所と目的に関しては当該画面２０２で選択・設定を行う。画面２０２で天気条件の設定を選択すると、前述した画面２０６に移って、天気条件に関して前述した選択・設定が行われる。画面２０２で天気条件の設定を選択しない場合、あるいは画面２０６で所定の設定行った場合に、その後、画面２０９に推移する。
【００７２】
図７に示された例は、ジャンルとしてアウトドアが選択した場合の画面の推移である。従って画面２０９ではアウトドアの内容が選択される。画面２０９で登山を選択し、次の画面２１０で山を選択すると、画面２１１で山の情報と施設情報等が表示される。画面２１１では、「ここの天気」、「ここの周辺の施設を探す」、「ここの天気をメールで送る」、「ここをＭｙお天気に登録」という項目が設けられている。「ここの天気」の項目を指定すると、画面２１２が表示される。画面２１２では、リアルタイムの気象予報を行える気象予報システム１に基づく気象情報が表示される。「ここの周辺の施設を探す」の項目を指定すると、画面２１３が表示される。画面２１３はジャンル検索の画面となる。従って、画面２１４，２１５，２１６のように画面が推移して所望の施設に関する情報を得ることができる。「ここの天気をメールで送る」の項目を指定すると、メール設定画面２１７に移る。メール設定画面２１７では、年、月、日、曜日、時間帯、期間（日間）等のメール送信日を指定する。このメール設定画面２１７の指定に基づいて指定条件を満たすような形式で「おでかけメール」２１８が携帯電話２１に送信される。
【００７３】
以上の図７の説明で明らかなように、本実施形態に係る検索システム１０によれば、レジャーにおける外出予定候補の所望の時期の気象情報を迅速にかつ正確に得ることができる。これによって、外出候補地の気象状態に関する情報から外出予定を立てることができる。
【００７４】
図１１を参照して本実施形態による気象情報に基づく生活レジャー情報検索システムの他の検索プロセスの例を説明する。図１１は、図７と実質的に同一の画面推移図である。図１１の検索プロセスは目的としてイベントを選択する場合の例である。図１１において、上記の例で説明した要素と同一の要素には同一の符号を付している。画面２０２でジャンルとしてイベントを選択する。天気条件の設定を行わないと、イベント画面３０１に移る。天気条件の設定を行うと、画面２０６を経由して同じくイベント画面３０１に移行する。イベント画面３０１では、様々なイベント項目が表記されている。例えば「祭り」という項目を選択すると、検索用の画面３０２に移る。画面３０２で祭りの項目を具体的に選択すると、選択したイベントに関する情報画面３０３となる。この情報画面３０３において天気に関する事項が表記され、これらの内容は前述の画面２１１の画面のそれらと同じである。従って、画面３０３でそれぞれの項目について指定を行うと、イベントごとの気象情報を得ることができる。また画面３０１の指定欄で日付を指定すると、画面３０４に移る。画面３０４では、指定された期日から期日までの祭りが検索され、その結果、画面３０２に移行する。その後は、前述したプロセスと同じである。以上のように、イベントごとに外出予定先の現地の気象情報を得ることができる。
【００７５】
【発明の効果】
以上の説明で明らかなように本発明によれば、ユーザが生活レジャーの目的で外出しようとするとき、外出先における所望時点での最新のより正確な気象情報を得ることができ、レジャー先での天気情報の正確な検索に基づいて外出予定を立てることができる。
【図面の簡単な説明】
【図１】本発明に係る気象情報に基づく生活レジャー情報検索システムのシステム構成図である。
【図２】本実施形態で利用される気象情報予測通知システムのブロック構成図である。
【図３】気象情報予測通知システムの動作工程の一例を示すフローチャートである。
【図４】リアルタイムによる気象情報の通知のイメージを示す図である。
【図５】気象予報システムに登録を行うときの表示画面の推移を示す図である。
【図６】気象予報システムのウェブサイトから送信される表示画面の推移を示す図である。
【図７】本実施形態による生活レジャー情報検索システムに基づく検索プロセスの例を示す画面推移図である。
【図８】検索条件設定の画面図である。
【図９】ジャンルの例を説明する図である。
【図１０】天気条件の設定を行う画面図である。
【図１１】本実施形態による生活レジャー情報検索システムに基づく検索プロセスの他の例を示す画面推移図である。
【符号の説明】
１              気象予報システム
３              気象情報予測通知システム
４              ユーザ登録システム
５              利用者登録データベース
１０            生活レジャー情報検索システム
１１            検索画面・気象情報提供部
１２            記憶部
１３            ウェブサイト
２１            ユーザ端末
２２            インターネット通信網
２４            通知情報
Ａ              気象庁
Ｂ              観測所
Ｍ              予報資料
Ｄ              実況値
【図１】
0003682624.tif 000002
【図２】
0003682624.tif 000003
【図３】
0003682624.tif 000004
【図４】
0003682624.tif 000005
【図５】
0003682624.tif 000006
【図６】
0003682624.tif 000007
【図７】
0003682624.tif 000008
【図８】
0003682624.tif 000009
【図９】
0003682624.tif 000010
【図１０】
0003682624.tif 000011
【図１１】
0003682624.tif 000012